(57)【要約】【課題】所望の外部機器への入力切換に係る操作の操作性が良好であり、ユーザビリティを向上可能な表示装置、テレビ受信装置、及び表示装置の制御方法を提供する。【解決手段】表示装置は、複数の外部機器からの信号が入力される信号入力部と、信号に基づく画像を表示する表示部と、外部機器を制御するコマンドを、複数の外部機器のそれぞれついて記憶する記憶部と、表示対象の外部機器及びコマンドをユーザに選択させるために、機器画像とコマンド画像とを関連付けた選択画面を表示させる表示制御部と、選択画面に対するユーザ操作によって選択された外部機器からの信号に切り換える切換部と、選択画面に対するユーザ操作によって選択されたコマンドを外部機器に送信する処理を行う機器制御部と、を備える。【選択図】図２
2019207552.tif 000002
【特許請求の範囲】
【請求項１】
複数の外部機器からの信号が入力される信号入力部と、
前記信号に基づく画像を表示する表示部と、
前記外部機器を制御するコマンドを、前記複数の外部機器のそれぞれついて記憶する記憶部と、
表示対象の前記外部機器、及び、当該外部機器に送信する前記コマンドをユーザに選択させるための画面として、前記外部機器に対応する機器画像と、前記コマンドを示すコマンド画像とを関連付けた選択画面を、前記表示部に表示させる表示制御部と、
前記表示部の表示対象の信号を、前記信号入力部に入力された前記信号のうち、前記選択画面に対するユーザ操作によって選択された前記外部機器からの前記信号に切り換える切換部と、
前記選択画面に対するユーザ操作によって選択された前記コマンドを前記外部機器に送信する処理を行う機器制御部と、
を備える
ことを特徴とする表示装置。
【請求項２】
前記機器画像は、対応する前記外部機器からの前記信号に基づき前記表示部に表示された画像を予め取り込んだ取込画像である
ことを特徴とする請求項１に記載の表示装置。
【請求項３】
前記選択画面は、前記コマンド画像が前記機器画像に重畳され表示される
ことを特徴とする請求項１又は請求項２に記載の表示装置。
【請求項４】
前記記憶部は、前記複数の外部機器のそれぞれについての前記コマンドの選択履歴を履歴情報として記憶しており、
前記表示制御部は、前記履歴情報に基づいて選択された前記コマンドに対応する前記コマンド画像を含む前記選択画面を表示させる
ことを特徴とする請求項１から請求項３のいずれか１項に記載の表示装置。
【請求項５】
前記表示制御部は、前記履歴情報に基づく配置で前記コマンド画像を表示させる
ことを特徴とする請求項４に記載の表示装置。
【請求項６】
請求項１から請求項５のいずれか１項に記載の表示装置を備えることを特徴とするテレビ受信装置。
【請求項７】
複数の外部機器からの信号が入力される信号入力部と、前記信号に基づく画像を表示する表示部と、前記外部機器を制御するコマンドを、前記複数の外部機器のそれぞれついて記憶する記憶部と、を備える表示装置の制御方法であって、
表示対象の前記外部機器、及び、当該外部機器に送信する前記コマンドをユーザに選択させるための画面として、前記外部機器に対応する機器画像と、前記コマンドを示すコマンド画像とを関連付けた選択画面を、前記表示部に表示させ、
前記表示部の表示対象の前記信号を、前記信号入力部に入力された前記信号のうち、前記選択画面に対するユーザ操作によって選択された前記外部機器からの前記信号に切り換え、
前記選択画面に対するユーザ操作によって前記選択された前記コマンドを前記外部機器に送信する
ことを特徴とする表示装置の制御方法。
【発明の詳細な説明】
【技術分野】
【０００１】
本発明は、表示装置、テレビ受信装置、及び表示装置の制御方法に関し、詳しくは、複数の映像信号のうち所望の映像信号への入力切換を行う技術に関する。
【背景技術】
【０００２】
表示装置として、映像信号を入力する複数の外部機器が接続され、これら複数の外部機器を切り換え可能な表示装置が知られている（例えば特許文献１参照）。特許文献１に記載の装置は、画質調整項目等を表示するメニュー画面を表示させる際に、テレビ番組などの表示コンテンツに係る映像を子画面表示させたまま、子画面に表示させる表示コンテンツを切り換え可能に構成されている。
【０００３】
ユーザは、特許文献１に記載されるような従来の表示装置に、レコーダ、プレーヤ、ゲーム機器、及び、ＶＯＤ（Video On Demand）再生用の機器（以下、ＶＯＤ機器とも称す
）等の各種の外部機器を接続し、再生対象の入力信号を切り換えることにより、様々なコンテンツを視聴できる。
【先行技術文献】
【特許文献】
【０００４】
【特許文献１】特開２０１２−１８９９７９号公報
【発明の概要】
【発明が解決しようとする課題】
【０００５】
ところで、複数の外部機器からの入力を切り換える操作には改善の余地があった。例えば、ユーザにリモコン等を操作させ、外部機器一覧から所望の外部機器を選択させ、入力の切り換えを行わせる場合がある。この際に、入力一覧に、「入力１」「入力２」のように入力端子に対応する形式的な名称や、機器の型番等が表示されていると、ユーザは、所望の外部機器を把握するのが容易ではない。このため、ユーザは、入力の切換を直感的に行えず、やはりユーザビリティが低下するおそれがあった。
【０００６】
また、ユーザは、外部機器に対する操作（例えばコンテンツの再生指示等）を行う場合、入力切換が完了するまで待機したのち、外部機器に対して当該操作を実施する必要があった。また、外部機器の操作を当該外部機器用のリモコンから行う必要がある場合がある。この場合、表示装置のリモコンを用いて入力切換を行った後、外部機器用のリモコンに持ち替えて操作する必要があるため、操作が煩雑であり、ユーザビリティが低下するおそれがあった。
【０００７】
本発明は、上記問題点に鑑みなされ、所望の外部機器への入力切換に係る操作の操作性が良好であり、ユーザビリティを向上可能な表示装置、テレビ受信装置、及び表示装置の制御方法を提供することを一つの目的とする。
【課題を解決するための手段】
【０００８】
本発明に係る表示装置は、複数の外部機器からの信号が入力される信号入力部と、前記信号に基づく画像を表示する表示部と、前記外部機器を制御するコマンドを、前記複数の外部機器のそれぞれついて記憶する記憶部と、表示対象の前記外部機器、及び、当該外部機器に送信する前記コマンドをユーザに選択させるための画面として、前記外部機器に対応する機器画像と、前記コマンドを示すコマンド画像とを関連付けた選択画面を、前記表示部に表示させる表示制御部と、前記表示部の表示対象の信号を、前記信号入力部に入力
された前記信号のうち、前記選択画面に対するユーザ操作によって選択された前記外部機器からの前記信号に切り換える切換部と、前記選択画面に対するユーザ操作によって選択された前記コマンドを前記外部機器に送信する処理を行う機器制御部と、を備えることを特徴とする。
【０００９】
本発明に係る表示装置によれば、ユーザは、選択画面を参照しながら、直感的に切換対象の外部機器を選択できる。また、ユーザは、入力切換の完了を待つことなく、表示装置に対する操作によって、当該外部機器に実行させたいコマンドを選択できる。すなわち、本発明によれば、表示装置に対する簡易な操作で、直感的かつ迅速に、切換先の選択と、コマンドの選択と、をユーザに実施させることができ、ユーザビリティを向上できる。
【００１０】
本発明に係る表示装置において、前記機器画像は、対応する前記外部機器からの前記信号に基づき前記表示部に表示された画像を予め取り込んだキャプチャ画像であることを特徴とする。
【００１１】
本発明に係る表示装置によれば、外部機器からの信号に基づき実際に表示されたキャプチャ画像を表示させることにより、ユーザによる直感的な切換操作を実現させることができる。
【００１２】
本発明に係る表示装置において、前記選択画面は、前記コマンド画像が前記機器画像に重畳され表示されることを特徴とする。
【００１３】
本発明によれば、ユーザにコマンド画像を選択させることにより、切換先の選択と、コマンドの選択と、を同時に実施させることによる、操作の簡略化を図ることができ、ユーザビリティを一層向上できる。
【００１４】
本発明に係る表示装置において、前記記憶部は、前記複数の外部機器のそれぞれについての前記コマンドの選択履歴を履歴情報として記憶しており、前記表示制御部は、前記履歴情報に基づいて選択された前記コマンドに対応する前記コマンド画像を含む前記選択画面を表示させることを特徴とする。
【００１５】
本発明に係る表示装置によれば、コマンドの選択履歴に基づいて選択されたコマンドのコマンド画像を表示させる。したがって、例えば、選択頻度が高いコマンドのコマンド画像を表示させることができ、ユーザビリティを向上できる。
【００１６】
本発明に係る表示装置において、前記表示制御部は、前記履歴情報に基づく配置で前記コマンド画像を表示させることを特徴とする。
【００１７】
本発明に係る表示装置によれば、コマンドの選択履歴に基づく配置でコマンドのコマンド画像を表示させる。したがって、例えば、複数のコマンド画像を配列させて表示させる際に、選択頻度が高いコマンドに対応する順番にコマンド画像を表示させることができ、ユーザビリティを向上できる。
【００１８】
本発明に係るテレビ表示装置は、上記本発明に係る表示装置を備えることを特徴とする。
【００１９】
本発明に係るテレビ受信装置によれば、上記表示装置に係る発明と同様に、テレビ受信装置に対す簡易な操作で、直感的かつ迅速に、切換先の選択とコマンドの選択とをユーザに実施させることができ、ユーザビリティを向上できる。
【００２０】
本発明に係る表示装置の制御方法は、複数の外部機器からの信号が入力される信号入力部と、前記信号に基づく画像を表示する表示部と、前記外部機器を制御するコマンドを、前記複数の外部機器のそれぞれついて記憶する記憶部と、を備える表示装置の制御方法であって、表示対象の前記外部機器、及び、当該外部機器に送信する前記コマンドをユーザに選択させるための画面として、前記外部機器に対応する機器画像と、前記コマンドを示すコマンド画像とを関連付けた選択画面を、前記表示部に表示させ、前記表示部の表示対象の前記信号を、前記信号入力部に入力された前記信号のうち、前記選択画面に対するユーザ操作によって選択された前記外部機器からの前記信号に切り換え、前記選択画面に対するユーザ操作によって前記選択された前記コマンドを前記外部機器に送信することを特徴とする。
【００２１】
本発明に係る表示装置の制御方法によれば、上記表示装置に係る発明と同様に、表示装置に対する簡易な操作で、直感的かつ迅速に、切換先の選択とコマンドの選択とをユーザに実施させることができ、ユーザビリティを向上できる。
【発明の効果】
【００２２】
本発明に係る表示装置、テレビ受信装置、及び表示装置の制御方法によれば、当該装置に対する簡易な操作で、直感的かつ迅速に、切換先の選択と、外部機器に実行させるコマンドの選択と、をユーザに実施させることができ、ユーザビリティを向上できる。
【図面の簡単な説明】
【００２３】
【図１】本発明の実施例１に係る表示装置の一例を示す概略構成図である。
【図２】本発明の実施例１に係る表示装置の一例を示すブロック図である。
【図３】本発明の実施例１に係る入力切換処理の一例を示すフローチャートである。
【図４】本発明の実施例１に係る第１選択画面の一例を示す図である。
【図５】本発明の実施例１に係る第２選択画面の一例を示す図である。
【図６】本発明の実施例２に係る選択画面の一例を示す図である
【図７】本発明の実施例２に係る選択画面に含まれる機器画像の拡大図である。
【図８】本発明の実施例２の一変形例に係る選択画面を示す図である。
【図９】本発明の実施例３に係る表示装置の一例を示すブロック図である。
【図１０】本発明の実施例４に係る第３選択画面の一例を示す図である。
【発明を実施するための形態】
【００２４】
本発明の表示装置、テレビ受信装置、及び表示装置の制御方法は、複数の外部機器が接続され、外部機器からの入力信号に基づく映像（画像）を表示可能な装置において、直感的かつ迅速に、入力の切換先の選択と、外部機器に実行させるコマンドの選択とをユーザに実施させることができ、ユーザビリティを向上できることを最大の特徴とする。以下、本発明に係る実施例を図面に基づいて説明する。
なお、後述する実施例で示される表示装置の全体形状及び各部の形状、並びに、表示装置における表示方法は、下記に述べる実施例に限定されるものではなく、本発明の技術的思想の範囲内、即ち、同一の作用効果を発揮できる形状及び寸法の範囲内で変更することができるものである。
【００２５】
［実施例１］
（表示装置の構成）
実施例１について図１から図５を用いて説明する。
図１は、表示装置１の一例を示す概略構成図である。また、図２は、表示装置１の概略構成を示すブロック図である。
表示装置１は、本発明の表示装置及びテレビ受信装置に相当し、図１に示すように、外部機器３が複数接続され、外部機器３から入力される信号に基づいて画像（静止画及び動
画を含む）や音声を再生する。また、表示装置１は、ユーザ操作に基づいて、複数の外部機器３うちの切換先と、外部機器３へ実施させるコマンドとを設定し、入力切換処理とコマンドの送信処理を実施する。
【００２６】
表示装置１は、図２に示すように、表示部１１と、音声出力部１２と、操作受付部１３と、記憶部１４と、信号入力部１５と、信号出力部１６と、制御部１７と、を備える。
【００２７】
表示部１１は、制御部１７の制御によって、外部機器３からの入力信号に基づく画像を表示する。表示部１１は、例えば液晶、有機ＥＬ（Organic Electro-Luminescence）、及びマイクロＬＥＤ（Light Emitting Diode）等の各種方式の表示パネルを含み構成される。
音声出力部１２は、制御部１７の制御によって、外部機器３からの入力信号に基づく音声を出力する。
【００２８】
操作受付部１３は、図１に示すリモコン２からの信号を受け付ける。すなわち、表示装置１は、リモコン２を介して、ユーザによる入力操作を受け付け可能に構成されている。なお、操作受付部１３は、リモコン２以外にも、キーボードやマウス等の操作入力デバイスからの入力を受け付け可能に構成されてもよい。
【００２９】
記憶部１４は、磁気ディスク、ＲＡＭ（Random Access Memory）、及びフラッシュメモリ等を含み構成され、表示装置１の制御に必要な各種データやプログラム等を記憶する。なお、記憶部１４には、外部機器３を制御するためのコマンドや、外部機器３を示す機器画像が、外部機器３のそれぞれについて予め記憶されている。コマンドや機器画像については、後に詳述する。
【００３０】
信号入力部１５は、外部機器３が接続される各種の入力端子と、外部機器３から入力された信号に対して各種の処理を実施する信号処理部と、を含み構成され、複数の外部機器３からの信号が入力される。信号入力部１５は、外部機器３の入力信号から映像信号を取得して表示部１１に出力する。また、信号入力部１５は、外部機器３の入力信号から音声信号を取得して音声出力部１２に出力する。
【００３１】
なお、各種の入力端子としては、ＲＦ（Radio Frequency）端子、ＨＤＭＩ（High-Definition Multimedia Interface、登録商標）端子、ＵＳＢ（Universal Serial Bus）端子
、Ｄ−ｓｕｂ（D-subminiature）端子、及びＲＣＡ端子等の各種規格の端子が例示される。
【００３２】
ここで、図１では、信号入力部１５に接続される外部機器３として、放送波受信用のアンテナ３０と、コンテンツの録画再生を行うレコーダ３１と、メディアに記憶されたコンテンツを再生するプレーヤ３２と、ゲーム機３３と、ＰＣ３４（Personal Computer）と
、ＶＯＤコンテンツ再生用のＶＯＤ機器３５と、が例示されている。
【００３３】
例えば、信号入力部１５は、アンテナ３０からの信号が入力される場合、放送波を受信する同調処理と、受信した放送波をデジタル信号に復調する復調処理と、復調されたデジタル信号を復号するデコード処理と、映像信号と音声信号とに分離する分離処理と、を含む各種処理を実施する。
【００３４】
信号出力部１６は、外部機器３を制御する制御信号や、データを外部機器３に出力する。例えば、信号出力部１６は、ＨＤＭＩケーブルで接続された外部機器３に対して、制御信号としてＣＥＣ（Consumer Electronics Control）コマンドを送信する。なお、以下の説明において、制御信号やデータは、信号出力部１６を介して表示装置１から外部機器３
へ送信されるものとする。
【００３５】
制御部１７は、例えば、ＣＰＵ（Central Processing Unit）、ＲＯＭ（Read Only Memory）、ＲＡＭ等を含み構成され、表示装置１を制御する。制御部１７は、各種の制御用
プログラムを実行し、表示制御部１７１と、コマンド情報取得部１７２と、切換部１７３と、機器制御部１７４と、キャプチャ制御部１７５として機能する。
【００３６】
表示制御部１７１は、信号に基づく画像を表示部１１に表示させる。また、表示制御部１７１は、複数の外部機器３のうちのいずれの外部機器３からの入力信号を表示対象とするかをユーザに選択させる入力切換操作と、選択された外部機器３に実施させるコマンドを選択させるコマンド選択操作と、を実施させる選択画面（図４及び図５参照）を表示させる。
【００３７】
コマンド情報取得部１７２は、上記選択画面を表示させる際に、表示装置１に接続された外部機器３で実行させるコマンドに関する情報（コマンド情報）を取得する。コマンド情報とは、選択画面に表示させるべきコマンドや、当該コマンドの名称が例示される。コマンド情報取得部１７２は、外部機器３において実行可能なコマンドのうち、例えば、外部機器３の種別に応じて予め設定されたコマンドについてコマンド情報を取得する。また、コマンド情報取得部１７２は、ユーザによって予め指定されたコマンドについてコマンド情報を取得してもよい。
【００３８】
コマンド情報取得部１７２は、コマンド情報が予め記憶部１４に記憶されている場合は、記憶部１４から取得する。一方、コマンド情報が予め記憶部１４に記憶されていない場合、コマンド情報取得部１７２は、コマンド情報として、実施可能なコマンドセットや、コマンドリスト等を外部機器３に要求し、取得してもよい。
【００３９】
切換部１７３は、ユーザによる切換先の選択操作に基づいて切換先の外部機器３を設定し、当該外部機器３からの入力信号に入力先を切り換える。すなわち、切換部１７３は、切換先に設定された外部機器３からの信号を処理して取得した映像信号を表示部１１に、音声信号を音声出力部１２に出力する。
【００４０】
機器制御部１７４は、外部機器３を制御するための制御信号を送信する処理を実施する。例えば、機器制御部１７４は、ユーザによる選択操作によって、切換先の外部機器３に実施対象とされたコマンドを、記憶部１４から取得し、切換先の外部機器３に送信する処理を実施する。
【００４１】
キャプチャ制御部１７５は、外部機器３からの信号に基づいて表示部１１に表示されている画像を予め取り込んだ取込画像（以下、キャプチャ画像とも称す）を記憶部１４に記憶させる。キャプチャ制御部１７５は、所定のタイミングでキャプチャ画像を取得する。
【００４２】
（入力切換処理）
図３は、表示装置１による入力切換処理の一例を示すフローチャートである。
図４は、入力切換処理において表示部１１によって表示され、ユーザに切換先の外部機器を選択させる第１選択画面４の一例である。また、図５は、入力切換処理において表示部１１によって表示され、切換先の外部機器３に実行させるコマンドをユーザに選択させる第２選択画面５の一例である。
入力切換処理において、表示装置１は、ユーザに、第１選択画面４を用いて切換先の外部機器３を選択させ、第２選択画面５を用いて切換先の外部機器３に実行させるコマンドを選択させる。そして、表示装置１は、ユーザが選択した外部機器３に入力を切り換えた後、当該外部機器３に選択されたコマンドを送信し、実行させる。以下、入力切換処理に
ついて説明する。
【００４３】
ユーザは、リモコン２を操作し、入力の切換先を選択するための選択画面（本実施例では第１選択画面４）の表示指示を、表示装置１に対して行う。図３に示すように、表示制御部１７１は、ユーザによる選択画面の表示指示を受け付ける（ステップＳ１）。
【００４４】
コマンド情報取得部１７２は、接続されている外部機器３で選択可能なコマンドに関する情報であるコマンド情報を取得する（ステップＳ２）。
例えば、コマンド情報取得部１７２は、各入力に対応する外部機器３の情報を参照し、各外部機器３について、選択画面に表示させるコマンドについてのコマンド情報を、記憶部１４から取得する。なお、外部機器３の情報は、例えば、機種情報であり、コマンド情報を取得する際に、各外部機器３から取得してもよいし、予め外部機器３から取得し、入力名と対応付けて記憶部１４に記憶しておいてもよい。
【００４５】
次に、表示制御部１７１は、選択画面を表示させる（ステップＳ３）。
ユーザは、表示部１１に表示された選択画面（図４及び図５）を参照しながら、切換先とコマンドの選択操作を実施する。選択画面及び当該選択画面を用いた選択操作については後述する。
【００４６】
次に、切換部１７３は、切換先とコマンドとがそれぞれ選択されたか否かを判定する（ステップＳ４）。
切換先とコマンドとが選択されていない場合（ステップＳ４；ＮＯ）、同判断を繰り返す。切換先とコマンドとが選択された場合（ステップＳ４；ＹＥＳ）、切換部１７３は、切換先として選択された外部機器３からの信号を出力対象とするように入力を切り換える（ステップＳ５）。
また、機器制御部１７４は、選択された外部機器３を起動させるべく起動指示を送信する（ステップＳ６）。
【００４７】
機器制御部１７４は、外部機器３から起動通知を受け取ると、ユーザによって選択されたコマンドを記憶部１４から取得し、外部機器３に送信する（ステップＳ７）。例えば、ＨＤＭＩケーブルを介して接続された外部機器３に対してはＣＥＣコマンドが送信される。
【００４８】
キャプチャ制御部１７５は、外部機器３からの信号に基づいて表示部１１に表示されている画像を取り込んだキャプチャ画像を、対応する外部機器３（入力名）と関連付けて記憶部１４に記憶させる（ステップＳ８）。
キャプチャ制御部１７５は、ステップＳ７で外部機器３に送信されたコマンドに基づいて、表示部１１の表示が更新された後に、キャプチャ画像を取得してもよい。
【００４９】
なお、切換先に選択される度にキャプチャ画像を取得しなくてもよい。例えば、入力部３に接続された外部機器３が変更された際に新たなキャプチャ画像を取得してもよい。また、所定の期間が経過したら、新たなキャプチャ画像を取得するようにしてもよい。また、ユーザの指示に基づいてキャプチャ画像を取得してもよい。また、外部機器３が起動する際に表示される起動画面が存在する場合は、当該起動画面をキャプチャ画像として取得してもよい。
【００５０】
一方、外部機器３は、ステップＳ６において表示装置１から起動指示を受けつけると、既に起動している状態か否かを判定する（ステップＳ１１）。
外部機器３は、既に起動している状態ではない場合（ステップＳ１１；ＮＯ）、起動処理を実施し（ステップＳ１２）、表示装置１に起動通知を送信する（ステップＳ１３）。
なお、外部機器３は、既に起動している状態の場合（ステップＳ１１；ＹＥＳ）、起動処理を実施せずに（ステップＳ１２）、表示装置１に起動通知を送信する（ステップＳ１３）。
【００５１】
（切換先及びコマンドの設定処理）
以下、図３のステップＳ３において表示される選択画面として第１選択画面４（図４参照）と、第２選択画面５（図５参照）と、について説明し、各選択画面を用いた切換先及びコマンドの設定処理について説明する。
入力切換処理のステップＳ３において、表示制御部１７１は、第１選択画面４を表示させ、ユーザに切換先の外部機器３を選択させる。次に、表示制御部１７１は、第２選択画面５を表示させ、ユーザに切換先の外部機器３に実行させるコマンドを選択させる。
【００５２】
（第１選択画面）
図４に示す、第１選択画面４は、切換先をユーザに選択させるための切換先選択ボタン４１と、外部機器３を示す機器画像４２と、含む。また、第１選択画面４において、機器画像４２の下部には、切換選択ボタン４１と機器画像４２との対応関係を示す入力情報４３と、対応する外部機器３の種別を示す種別情報４４と、カーソル４５と、が表示されている。
【００５３】
切換先選択ボタン４１は、本実施例では、アンテナ入力（放送波）を選択するためのＴＶ選択ボタン４１０と、入力１（レコーダ３１）を選択するための入力１選択ボタン４１１と、入力２（プレーヤ３２）を選択するための入力２選択ボタン４１２と、入力３（ゲーム機３３）を選択するための入力３選択ボタン４１３と、入力４（ＰＣ３４）を選択するための入力４選択ボタン４１４と、入力５を選択するための入力５選択ボタン４１５と、を含む。なお、切換先選択ボタン４１のそれぞれには、対応する入力名が表示されている。例えば、入力名として、ＴＶ選択ボタン４１０には「ＴＶ」が、入力１〜入力５選択ボタン４１１〜４１５には、それぞれ「入力１」〜「入力５」が、表示されている。
【００５４】
機器画像４２は、アンテナ入力に対応する機器画像４２０と、各入力１〜５のそれぞれに対応する機器画像４２１〜４２５と、を含む。
機器画像４２は、対応する外部機器３から信号が入力されている場合、現在の入力に応じた画像である。例えば、入力１のレコード３１から映像信号が入力されている場合、当該映像信号に基づく画像が機器画像４２１として表示される。また、機器画像４２は、対応する外部機器３から信号が入力されていない場合、記憶部１４に記憶されたキャプチャ画像である。
【００５５】
入力名４３として、本実施例では、各切換先選択ボタン４１に対応する入力名が表示されている。
種別情報４４として、本実施例では、地上波デジタル放送を示す「地デジ」や、各外部機器３の種別を示す「レコーダ」、「プレーヤ」、「ゲーム機」、「ＰＣ」、「ＶＯＤ」が表示されている。
【００５６】
（第２選択画面）
図５は、入力切換処理において表示部１１によって表示され、切換先の外部機器に実行させるコマンドをユーザに選択させる第２選択画面５の一例である。
第２選択画面５は、第１選択画面４に基づく切換先の選択がなされた後、表示部１１に表示される。図５には、切換先として、「入力１」の「レコーダ」が選択された場合における第２選択画面５を一例として示す。なお、レコーダは、電子番組表（ＥＰＧ：Electronic Program Guide）を表示可能であり、選択されたコンテンツを録画再生可能な記録装置の一例であるＨＤＤを備えるものとする。また、レコーダは、各種ディスクメディアに
記録されたコンテンツを再生可能に構成されているものとする。
【００５７】
第２選択画面５は、切換先の外部機器３を示す機器画像５１と、外部機器３に実行させるコマンドをユーザに選択させるためのコマンド選択ボタン５２と、を含む。なお、第２選択画面５では、第１選択画面４と同様に、切換先選択ボタン４１と、カーソル４５とが表示されている。
【００５８】
機器画像５１は、第１選択画面４で選択された外部機器３を示す画像であり、例えば、第１選択画面４で表示されていた機器画像４２が拡大表示される。なお、本実施例では、レコーダ３１に対応する機器画像４２１と同一である。
【００５９】
コマンド選択ボタン５２は、本発明のコマンド画像に相当し、各外部機器３について、予め実行対象と設定されたコマンドのそれぞれについて表示されている。実行対象のコマンドは、例えば、外部機器３の種別に基づいて予め設定されていてもよいし、ユーザによって設定されてもよい。コマンド選択ボタン５２は、本実施例では、レコーダ３１に録画されている録画コンテンツのリスト（録画リスト）を表示させる第１コマンドボタン５２１と、電子番組表を表示させる第２コマンドボタン５２２と、録画コンテンツを再生させる第３コマンドボタン５２３と、ディスクメディアを再生させる第４コマンドボタン５２４と、を含む。
【００６０】
（切換先及びコマンドの設定）
ユーザは、第１選択画面４を参照しながら、切換先の選択操作を実施する。具体的には、ユーザは、第１選択画面４に表示されているカーソル４５を、選択を希望する切換先選択ボタン４１に移動させ、選択操作を実施する。切換部１７３は、選択操作に基づいて、切換先の外部機器３を仮に設定する。表示制御部１７１は、選択された外部機器３に対応する第２選択画面５を表示させる。
【００６１】
次に、ユーザは、第２選択画面５を参照しながら、所望のコマンドを示すコマンド選択ボタン５２を選択するコマンドの選択操作を実施する。機器制御部１７４は、選択操作に基づいて選択されたコマンドを送信対象のコマンドとして設定する。例えば、第１コマンドボタン５２１が選択された場合、入力１に対応するレコーダ３１に録画リストの表示を指示する旨のコマンドを送信対象として設定する。また、切換部１７３は、選択操作に基づいて、切換先の外部機器３を正式な切換先に設定する。
【００６２】
（実施例１の作用効果）
表示装置１によれば、ユーザは、選択画面を参照しながら、直感的に切換先の外部機器３を選択できる。また、ユーザは、入力切換の完了を待つことなく、表示装置１に対する操作によって、当該外部機器３に実行させたいコマンドを選択できる。したがって、表示装置１に対する簡易な操作で、直感的かつ迅速に、切換先の選択と上記コマンドの選択とを、ユーザに実施させることができるため、ユーザビリティを向上できる。
【００６３】
また、表示装置１によれば、外部機器３からの信号に基づき実際に表示されたキャプチャ画像を、選択画面に表示させることにより、ユーザによる直感的な切換操作を実現させることができる。
【００６４】
［実施例２］
実施例２について図６及び図７を用いて説明する。
図６は、実施例２において表示部１１に表示される選択画面の一例を示す図であり、図７は、図６の選択画面における一つの機器画像を拡大した図である。
実施例２に係る表示装置１では、選択画面として、機器画像に、コマンド画像を重畳し
て表示された選択画面を表示する点を除き、実施例１と略同様に構成される。なお、以下の説明において、実施例１と同様の部分についての説明は省略又は簡略化する。
【００６５】
図６に示すように、選択画面４Ａは、図４に示す第１選択画面と同様に、切換先選択ボタン４１と、機器画像４２とを含み、さらに、コマンドアイコン４６を含む。コマンドアイコン４６は、外部機器３に実行させるコマンドをユーザに選択させるために、機器画像４２に重畳表示される。
【００６６】
図７には、レコーダ３１に対応する機器画像４２１と、機器画像４２１に重畳表示されたコマンドアイコン４６と、が例示されている。コマンドアイコン４６は、実施例１における第２選択画面５に表示されるコマンド選択ボタン５２に対応している。すなわち、図７に示す例では、コマンドアイコン４６は、録画リストを表示させる第１アイコン４６１と、電子番組表を表示させる第２アイコン４６２と、ＨＤＤの録画コンテンツを再生させる第３アイコン４６３と、ディスクメディアを再生させる第４アイコン４６４と、を含む。
【００６７】
（実施例２の作用効果）
実施例２では、コマンド画像が機器画像に重畳表示された選択画面４Ａを表示させる。ユーザは、この選択画面４Ａを参照しながら、切換先の選択と、コマンドの選択と、を同時に実施させることができる。したがって、選択操作のさらなる簡略化を図ることができ、ユーザビリティを一層向上できる。
【００６８】
（実施例２の変形例）
図８は、実施例２の一変形例の選択画面における一つの機器画像を拡大した図である。実施例２では、機器画像４２に対してコマンドアイコン４６を表示させていたが、コマンドアイコン４６に変えて、コマンド選択ボタン５２を表示させてもよい。図８に示す変形例では、レコーダ３１に対応する機器画像４２１に、コマンド選択ボタン５２（第１〜第４コマンドボタン５２１〜５２４）が重畳表示されている。図８に示す変形例では、各コマンドボタン５２１〜５２４の処理内容がテキストで表示させることができ、ユーザは処理内容を理解することが容易である。
【００６９】
［実施例３］
実施例３について図９を用いて説明する。
図９は、実施例３に係る表示装置１Ａの概略構成を示すブロック図である。
実施例３に係る表示装置１Ａは、制御部１７が、ユーザの操作履歴に基づく制御を実施する履歴制御部１７６として機能する点を除き、実施例１と略同様に構成される。
【００７０】
履歴制御部１７６は、ユーザ操作に基づいて、表示装置１Ａから外部機器３に対して実施されるコマンドが選択されると、コマンド選択履歴の情報を取得し、履歴情報を更新する。履歴情報は、上述のようにコマンドの選択履歴を含む情報であり、記憶部１４に、各外部機器３（入力名）に関連付けられて記憶されている。ここで、履歴情報は、入力切換処理におけるコマンド選択履歴に限らず、入力切換処理後の外部機器３に対するコマンド選択履歴も含む。
【００７１】
履歴制御部１７６は、履歴情報に基づいて、選択画面に表示させるべきコマンドを選択する。例えば、履歴情報１７６は、履歴情報を参照し、所定のコマンドのうちの選択頻度が高いコマンドを、選択画面における表示対象とする。
【００７２】
また、履歴制御部１７６は、第２選択画像５における、コマンド選択ボタン５２の配置を履歴情報に基づいて設定する。例えば、履歴制御部１７６は、選択頻度が高い順にコマ
ンド選択ボタン５２が表示されるように、コマンド選択ボタン５２の配置を設定する。なお、カーソルを移動規則に沿ってコマンド選択ボタン５２が配置される場合、当該移動規則に沿って、選択頻度が高い順にコマンド選択ボタン５２が配置される。
【００７３】
（実施例３の作用効果）
実施例３の表示装置１Ａによれば、コマンドの選択履歴に基づいて、選択画面におけるコマンド画像の表示態様を変更させる。例えば、選択頻度が高いコマンドのコマンド画像を表示させ、選択頻度が低いコマンドを表示さないように、表示対象のコマンドを変更できるため、ユーザビリティを向上できる。
【００７４】
また、表示装置１Ａによれば、コマンドの選択履歴に基づく配置でコマンド画像（コマンド選択ボタン５２）を表示させる。例えば、複数のコマンド画像を配列させて表示させる際に、選択頻度が高いコマンドに対応する順番にコマンド画像を表示させることができ、ユーザビリティを向上できる。
【００７５】
［実施例４］
実施例４について図１０を用いて説明する。
図１０は、実施例４に係る第３選択画面６の一例を模式的に示す図である。
実施例４では、実施例３の表示装置１Ａにおいて、履歴制御部１７６は、入力１に対応するレコーダ３１の録画履歴を履歴情報として取得し、記憶部１４に記憶させる。
図５に示す第２選択画面５において第１コマンドボタン５２１が選択されると、表示制御部１７１は、録画リストの表示指示を受け付け、履歴情報に基づいて、第３選択画面６を表示部１１に表示させる。
【００７６】
図１０に示す第３選択画面６は、録画リストを含み、レコーダ３１に録画されたコンテンツから再生対象のコンテンツをユーザに選択させるための画面である。第３選択画面６は、コンテンツ選択ボタン６１と、コンテンツ情報６２と、カーソル６３と、を含む。
【００７７】
コンテンツ選択ボタン６１は、ユーザに再生対象の録画コンテンツを選択させるものであり、複数の録画コンテンツのそれぞれに個別に設定される。図１０に示すように、コンテンツ選択ボタン６１には、履歴情報から取得されたコンテンツ情報の少なくとも一部として、コンテンツ名と、録画日時とが表示されている。なお、コンテンツ選択ボタン６１内に表示されるコンテンツ情報は、コンテンツのジャンル、コンテンツの配信元に関する情報、及び、視聴済みか否かの情報等の各種情報を含んでいてもよい。
【００７８】
コンテンツ情報６２は、カーソル６３によって選択されている録画コンテンツに関する情報を示すものである。図示例では、コンテンツ情報６２は、コンテンツのプレビュー画像６２１と、番組情報６２２と、を含む。プレビュー画像６２１は、コンテンツの一画面をキャプチャした静止画像でもよいし、動画像でもよく、記憶部１４に予め記憶されている画像データに基づいて表示される。番組情報６２２は、履歴情報に基づいて表示され、図１０では、コンテンツ名、出演者情報、及び、コンテンツの内容（図１０の「みどころ」欄）に関する情報が例示される。
【００７９】
（実施例４の作用効果）
実施例４に係る表示装置１Ａは、外部機器３における録画履歴を履歴情報として取得し、当該録画履歴に基づいて、第３選択画面６を表示させることにより、ユーザに、表示装置１Ａに対する操作として録画リストを選択させることができる。これにより、外部機器３への入力切換が完了するのを待って、当該外部機器３に対して録画リストの選択操作する必要がなく、選択操作のさらなる簡略化及び迅速化を図ることができる。
【００８０】
［変形例］
本発明に係る表示装置、テレビ受信装置、及び表示装置の制御方法は、上述の各実施例に限定されず、本発明の技術的思想の範囲内において、各種の変形や、各実施例の全部及び一部を組み合わせる等の変更によって得られる構成は本発明に含まれるものである。
【００８１】
上記各実施例では、外部機器３で実行可能なコマンドに関するコマンド情報を予め記憶部１４に記憶しておき、当該コマンド情報に基づいて、選択画面に表示させるコマンドを設定しているが、本発明はこれに限定されない。例えば、ＣＥＣ等の一般的な制御プロトコルに基づいて規定された制御コマンドを送信する場合、外部機器３で実行可能か否かに関わらず、送信対象のコマンドとしてもよい。すなわち、レコーダにおいて、番組表表示、録画リスト表示、及び再生等の一般的な操作は、機種に関わらずに同一のコマンドが設定されている場合がある。したがって、これら一般的な操作に対するコマンドについては、外部機器３で実行可能か否かに関わらず、送信対象のコマンドとすることにより、外部機器３との間でコマンド情報の授受に係る処理を実施しなくとも、選択画面を表示させることができる。
【００８２】
各実施例において、制御部１５の各機能が、ＣＰＵを用いてソフトウェアによって実現されるとしたが、集積回路（ＩＣ（Integrated Circuit）チップ）等に形成された論理回路（ハードウェア）によって実現されてもよい。
【産業上の利用可能性】
【００８３】
本発明は、複数の外部機器複数から信号が入力され、複数の入力信号のうちのいずれかへの入力切換が可能な表示装置、テレビ受信装置及び表示装置の制御方法に関するものであり、産業上の利用可能性は高いと解する。
【符号の説明】
【００８４】
１、１Ａ  表示装置
２  リモコン
３  外部機器
４  第１選択画面
４Ａ  選択画面
５  第２選択画面
６  第３選択画面
１１  表示部
１２  音声出力部
１３  操作受付部
１４  記憶部
１５  信号入力部
１６  信号出力部
１７、１７Ａ  制御部
３０  アンテナ
３１  レコーダ
３２  プレーヤ
３３  ゲーム機
３４  ＰＣ
３５  ＶＯＤ機器
４１  切換先選択ボタン
４２  機器画像
４３  入力情報
４４  種別情報
４５、６３  カーソル
４６  コマンドアイコン
５１  機器画像
５２  コマンド選択ボタン
６１  コンテンツ選択ボタン
６２  コンテンツ情報
１７１  表示制御部
１７２  コマンド情報取得部
１７３  切換部
１７４  機器制御部
１７５  キャプチャ制御部
１７６  履歴制御部
４１０  ＴＶ選択ボタン
４１１〜４１５  入力１選択ボタン〜入力５選択ボタン
４６１〜４６４  第１アイコン〜第４アイコン
５２１〜５２４  第１コマンドボタン〜第４コマンドボタン
６２１  プレビュー画像
６２２  番組情報
【図１】
2019207552.tif 000003
【図２】
2019207552.tif 000004
【図３】
2019207552.tif 000005
【図４】
2019207552.tif 000006
【図５】
2019207552.tif 000007
【図６】
2019207552.tif 000008
【図７】
2019207552.tif 000009
【図８】
2019207552.tif 000010
【図９】
2019207552.tif 000011
【図１０】
2019207552.tif 000012